(57)【要約】【課題】組立・解体時の作業性がよく、かつ、組立・解体時の安全性を確保できる簡易組立式足場を提供する。【解決手段】  互いに平行な一対の横梁部材１に縦梁部材２が架け渡されて形成される水平フレーム３の横梁部材１から垂下する足場板支持部材４を横梁部材１に沿うように折り畳み自在に設け、足場板支持部材４と横梁部材１との間には、足場板支持部材４を横梁部材１に対して垂直方向にロックするためのロック部材５が設けられ、足場板支持部材４が横梁部材１に折り畳まれた状態の水平フレーム３が吊持されると、足場板支持部材４がその自重によって垂下され、かつ、ロック部材５によってロックされ、足場板支持部材４が、足場板６を載置可能な状態となる。【選択図】  図５
2005282241.tif 000002
【特許請求の範囲】
【請求項１】
互いに平行な一対の横梁部材に縦梁部材が架け渡されて形成される水平フレームの前記横梁部材から垂下する足場板支持部材を前記横梁部材に沿うように折り畳み自在に設けてなる簡易組立式足場であって、
前記足場板支持部材と前記横梁部材との間には、前記足場板支持部材を前記横梁部材に対して垂直方向にロックするためのロック部材が設けられ、
前記足場板支持部材が前記横梁部材に折り畳まれた状態の前記水平フレームが吊持されると、前記足場板支持部材がその自重によって垂下され、かつ、前記ロック部材によってロックされ、前記足場板支持部材が、足場板を載置可能な状態になることを特徴とする簡易組立式足場。
【請求項２】
前記縦梁部材、横梁部材及び足場板支持部材は、パイプ材からなることを特徴とする請求項１に記載の簡易組立式足場。
【発明の詳細な説明】
【技術分野】
【０００１】
本発明は、建物や工場設備等の建設や改装、補修、点検等を行う際に、その建物や工場設備等に付設される簡易な組立足場に関する。
【背景技術】
【０００２】
建物や工場設備等に付設される組立式の足場（枠組足場）は、スチールパイプからなるものが公知である。このような足場は、例えば、図８に示すように、一対の脚柱５１，５１と、その両脚柱５１，５１の上端をつなぐ横架材５２と補強枠５３とで構成される一対の建枠５４を所定間隔をおいて対向させて立設し、その横架材５２，５２間に足場板５５，５６を架け渡すと共に、両脚柱５１，５１間に筋交い５７，５７を交差状に架け渡し、順次多段状に積み上げるようにして組み立てられる（例えば、特許文献１参照）。
【特許文献１】特開２００４−６８４５０号公報
【発明の開示】
【発明が解決しようとする課題】
【０００３】
しかしながら、このような従来の足場は、組立・解体時の作業性がよくなく、特に、多段に積み重ねる場合には、多大の手間と時間を要するため、労務費が嵩む問題があった。また、例えば、発電所内の高所等で突発的なトラブルが発生した場合等には、迅速に足場を組み立てられることが望ましいが、従来の足場では多くの人手と長い時間を要するため適切に対処できないことが多かった。さらに、足場を高く積み上げる場合には、組立作業中に高所から部材が落下するおそれもあった。
【０００４】
本発明は、このような実情に鑑みてなされ、組立・解体時の作業性がよく、かつ、組立・解体時の安全性を確保できる簡易組立式足場を提供することを目的とする。
【課題を解決するための手段】
【０００５】
本発明に係る簡易組立式足場は、互いに平行な一対の横梁部材に縦梁部材が架け渡されて形成される水平フレームの前記横梁部材から垂下する足場板支持部材を前記横梁部材に沿うように折り畳み自在に設けてなる簡易組立式足場にあって、
前記足場板支持部材と前記横梁部材との間には、前記足場板支持部材を前記横梁部材に対して垂直方向にロックするためのロック部材が設けられ、前記足場板支持部材が前記横梁部材に折り畳まれた状態の前記水平フレームが吊持されると、前記足場板支持部材がその自重によって垂下され、かつ、前記ロック部材によってロックされ、前記足場板支持部材が、足場板を載置可能な状態になるようにしている。
【０００６】
このような構成によれば、足場板支持部材が横梁部材に折り畳まれた状態の水平フレームをクレーン等の吊持手段によって吊持すると、足場板支持部材がその自重によって垂下され、かつ、ロック部材によってロックされ、足場板を載置可能な状態になるため、人手を要することなく、迅速かつ容易に足場を組み立てることができる。また、解体作業を行うまでもなく、足場板を撤去して折り畳めば収納可能なコンパクトな状態となる。
【０００７】
特に、足場を多段に積み上げる場合には、クレーン等によって吊持するだけで、足場板を載置できる状態となるため、作業者が高所で難しい組立作業を行う必要がなくなり迅速な対応が可能となる。また、高所から部材が落下する等のトラブルの発生を防ぐことができるため、安全性も向上する。
【０００８】
このような簡易組立式足場では、前記縦梁部材、横梁部材及び足場板支持部材を、パイプ材で形成するのが好ましい。このようにすれば、軽量で堅牢に形成することができ、かつ、製作容易となるため、簡易組立式足場を安価に提供することができる。
【発明の効果】
【０００９】
本発明に係る簡易組立式足場は、互いに平行な一対の横梁部材に縦梁部材を架け渡して水平フレームを形成して、足場板支持部材を横梁部材に折り畳み自在に設けると共に、足場板支持部材と横梁部材との間にロック部材を設け、足場板支持部材が横梁部材に折り畳まれた状態の水平フレームがクレーン等の吊持手段で吊持されると、足場板支持部材がその自重によって垂下され、かつ、ロック部材によってロックされ、足場板支持部材が、足場板を載置可能な状態になるので、人手を要することなく、迅速かつ容易に足場を組み立てることができる。また、解体作業を行うまでもなく、足場板を撤去して折り畳めば収納可能なコンパクトな状態となる。
【００１０】
特に、足場を多段に積み上げる場合には、クレーン等によって水平フレームを吊持するだけで、足場板を載置できる状態となるため、作業者が高所で難しい組立作業を行う必要がなくなり迅速な対応が可能となる。また、高所から部材が落下する等のトラブルの発生を防ぐことができるため、安全性も向上する。
【発明を実施するための最良の形態】
【００１１】
以下に、本発明の最良の実施の形態に係る簡易組立式足場について図面を参照しつつ詳細に説明する。
図１は簡易組立式足場の斜視図、図２は足場板を載せた簡易組立式足場の正面図、図３は足場板を載せた簡易組立式足場の平面図、図４は折り畳んだ状態の簡易組立式足場の正面図、図５は吊持した状態の簡易組立式足場の正面図である。これらの図に示すように、この簡易組立式足場は、互いに平行な一対の横梁部材１，１に２本の縦梁部材２，２を架け渡して水平フレーム３を形成し、その横梁部材１，１の両端部と中央部に、それぞれ、略門型に形成される足場板支持部材（建枠）４…を横梁部材１，１に沿うように折り畳み自在に設けている。
【００１２】
その足場板支持部材４の上部近傍と、前側の横梁部材１との間には、足場板支持部材４を横梁部材１に対して垂直方向にロックするための折り畳み自在なロックステー（本発明のロック部材）５を設けている。このように構成される簡易組立式足場は、非使用時には、図４に示すように、３つの足場板支持部材４を横梁部材１，１に折り畳まれた状態として地上に載置することができ、その上に積み上げることもできる。
【００１３】
そして、足場板支持部材４を横梁部材１，１に折り畳まれた状態の水平フレーム３の縦梁部材２，２に、図５に示すように、フック付きの吊持用ワイヤ７を掛止させてクレーン等の吊持手段（図示省略）で吊持すると、足場板支持部材４がその自重によって垂下し、かつ、ロックステー５によってロックされるため、足場板支持部材４が、足場板６を載置可能な状態になり、人手を要することなく、迅速かつ容易に足場を組み立てることができる。また、解体作業を行うまでもなく、足場板６を撤去して折り畳めば、上述のように、収納可能なコンパクトな状態となる。
【００１４】
その足場板支持部材４は、一対の脚柱４１，４１と、その両脚柱４１，４１の上端をつなぐ横架材４２と補強枠４３とで構成され、対向し合う一対の足場板支持部材４，４の横架材４２，４２間に、足場板６の掛止爪６１，６１，６２，６２を掛止させることで、足場板６を架け渡すことができる（図３参照）。そして、脚柱４１，４１間に筋交い８，８を交差状に架け渡し、順次多段状に積み上げることができる。なお、足場板６は、その前後の掛止爪６１，６１，６２，６２の位置を少しずらせて、隣接し合う足場板６，６の掛止爪同士の干渉を回避できるようにしている。
【００１５】
特に、多段に積み上げる場合には、クレーン等によって簡易組立式足場を吊持するだけで、足場板６を載置できる状態となるため、作業者が高所で難しい組立作業を行う必要がなくなり、より少ない作業者数で迅速な対応が可能となる。また、高所から部材が落下する等のトラブルの発生を防ぐことができるため、安全性も向上する。
【００１６】
このような構成にあって、従来にない横梁部材１、縦梁部材２からなる水平フレーム３を形成するのは、３つの足場板支持部材４を、２枚の足場板２を架け渡すことができるように所定の間隔をおいて安定な状態で回動自在に支持するためであり、これにより、足場組立作業の容易化と高能率化を図ることができる。
【００１７】
その他の構成について説明すると、図６（ａ）〜（ｃ）に示すように、足場板支持部材４の脚柱４１の上部には、ボルト挿通孔を有するブラケット４１ａが溶接ｗによって取り付けられる一方、横梁部材１の下部には、ボルト挿通孔を有する略Ｌ字状のブラケット１ａが溶接ｗによって取り付けられ、両ブラケット４１ａ，１ａがボルト１１とナット１２によって互いに回動自在となるように重ね合わされ、これにより、足場板支持部材４が横梁部材１，１に折り畳み自在に支持される。なお、図６（ｃ）に示す前側の横梁部材１に取り付けられるブラケット１ａは、図６（ｂ）に示す後側の横梁部材１に取り付けられるブラケット１ｂより若干奥行きを大に設定し、横梁部材１と脚柱４１との間にロックステー５を配設できるスペース１３を設けている。
【００１８】
ロックステー５は、図７（ａ）に示されるように、折り畳み自在な２つの板状のリンク体５１，５２を連結ピン５３で互いに回動自在、かつ、図示の直線状態で相互に係止状態となるように連結して構成される。即ち、一方のリンク体５１の連結部には、折り畳んだ状態の両リンク体５１，５２に引っ張り力が作用して直線状態になると、他方のリンク体５２の上端に当接してそれ以上の回動を阻止するための当接片部５４を折曲状に形成している。なお、リンク体５１，５２の端部には、それぞれピン孔５１ａ，５２ａが設けられている。
【００１９】
図７（ｂ）は、ロックステー５の取り付け状態を示し、リンク体５１のピン孔５１ａに挿通されるピン１４が横梁部材１に挿通されてリンク体５１が横梁部材１の内側に回動自在に支持される一方、リンク体５２のピン孔５２ａに挿通されるピン１５が脚柱４１に挿通されてリンク体５２が脚柱４１の外側に回動自在に支持される。つまり、ロックステー５の上部は、横梁部材１と脚柱４１との間のスペース１３内に配設される。
【００２０】
以上のように構成される簡易組立式足場は、横梁部材１，縦梁部材２からなる水平フレーム３及び足場板支持部材４を、パイプ材で形成するのが好ましい。このようにすれば、製作容易となり、全体を軽量かつ堅牢に構成することができ、安価に提供することができる。なお、本発明は、実施の形態に限定されることなく、発明の要旨を逸脱しない限りにおいて、使用条件等に応じて、適宜、設計変更、改良等は自由であり、例えば、水平フレームには、一対の足場板支持部材を設けて一枚の足場板を架け渡すようにしてもよく、その場合には、水平フレームの両端に設ける足場板支持部材の内側に２本の縦梁部材を架け渡せばよい。また、ロック部材は、足場板支持部材を横梁部材に対して垂直状態にロックできればよく、その構成や形式の如何を問わない。
【図面の簡単な説明】
【００２１】
【図１】は本発明の実施の形態に係る簡易組立式足場の斜視図である。
【図２】同足場板を載せた状態の簡易組立式足場の正面図である。
【図３】同足場板を載せた状態の簡易組立式足場の平面図である。
【図４】同簡易組立式足場を折り畳んだ状態の正面図である。
【図５】同簡易組立式足場を吊持した状態の正面図である。
【図６】同脚柱と横梁部材の連結部を示し、（ａ）はその分解斜視図、（ｂ）は後側の連結部の正面図、（ｃ）は前側の連結部の正面図である。
【図７】同ロック部材を示し、（ａ）はロック部材の斜視図、（ｂ）はロック部材を取り付けた状態の前側の連結部の正面図である。
【図８】従来の組立式の足場の一例を示す斜視図である。
【符号の説明】
【００２２】
１…横梁部材、２…縦梁部材、３…水平フレーム、４…足場板支持部材、５…ロック部材、６…足場板
【図１】
2005282241.tif 000003
【図２】
2005282241.tif 000004
【図３】
2005282241.tif 000005
【図４】
2005282241.tif 000006
【図５】
2005282241.tif 000007
【図６】
2005282241.tif 000008
【図７】
2005282241.tif 000009
【図８】
2005282241.tif 000010